(57)【要約】【課題】後工程で問題が発生する状態や見栄えの問題がある状態を確実に検知することのできる、平判紙の積層状態不良検知方法と平判紙積層状態不良検知装置を提供する。【解決手段】多数の平判紙からなる積層物２の側面に対して下向きに傾斜した角度で積層物の周囲に配置されたレーザ照射装置３〜６から積層物２の各側面にレーザ光Ｌを積層物２の高さ方向に沿って線状に照射すると共に、積層物２の各側面を積層物２の側面に対して下向きに傾斜した角度で積層物の周囲に配置された撮像装置７，８により撮像する。積層物２の各側面に照射されたレーザ光Ｌの照射軌跡が積層物２の高さ方向に連続する照射軌跡であるか否かを撮像装置７，８で得られた画像から判定して平判紙の積層状態の不良を検知する。【選択図】図１
2014038013.tif 000002
【特許請求の範囲】
【請求項１】
一定寸法に裁断された平判紙を積層してなる積層物に平判紙の積層状態の不良があるか否かを検知する方法であって、
前記積層物の側面に対して下向きに傾斜した角度で積層物の周囲に配置されたレーザ照射装置から前記積層物の各側面にレーザ光を前記積層物の高さ方向に沿って線状に照射すると共に、前記積層物の各側面を前記積層物の側面に対して下向きに傾斜した角度で積層物の周囲に配置された撮像装置により撮像し、前記撮像装置から出力された画像信号を処理して前記レーザ光の照射軌跡を表わす二値化画像を作成し、前記レーザ光の照射軌跡が前記積層物の高さ方向に連続する照射軌跡であるか否かを判定することによって、前記平判紙の積層状態の不良を検知することを特徴とする平判紙の積層状態不良検知方法。
【請求項２】
前記積層物の４つの隅部のうち対角線上に位置する２つの隅部に対し、前記レーザ照射装置を２台ずつ配置すると共に前記撮像装置を１台ずつ配置して、前記平判紙の積層状態の不良を検知することを特徴とする請求項１に記載の平判紙の積層状態不良検知方法。
【請求項３】
前記積層物の側面に対する前記レーザ照射装置の傾斜角度を３０°以上７５°以下に設定するとともに、前記積層物の側面に対する前記撮像装置の傾斜角度を３５°以上８０°以下に設定して、前記平判紙の積層状態の不良を検知することを特徴とする請求項１または２に記載の平判紙の積層状態不良検知方法。
【請求項４】
前記レーザ光の照射軌跡が前記積層物の底面に対して垂直で且つ前記積層物の高さ方向に直線状であるか否かを検知することを特徴とする請求項１〜３のいずれか一項に記載の平判紙の積層状態不良検知方法。
【請求項５】
前記レーザ光の照射軌跡が前記積層物の高さ方向に連続する照射軌跡であるときに前記積層物の側面に前記平判紙の飛び出し及び不揃いが存在しないと判定し、前記レーザ光の照射軌跡が前記積層物の高さ方向に不連続の照射軌跡であるときに前記積層物の側面に前記平判紙の飛び出し及び不揃いが存在すると判定することを特徴とする請求項１〜４のいずれか一項に記載の平判紙の積層状態不良検知方法。
【請求項６】
前記レーザ光の照射軌跡が前記積層物の高さ方向に不連続の照射軌跡であるときに、前記積層物の側面から突出する平判紙の飛び出し量及び／又は前記平判紙の飛び出し数を前記撮像装置で得られた画像から求め、前記平判紙の飛び出し量及び／又は前記平判紙の飛び出し数を基準値と比較して良否を判定することを特徴とする請求項５に記載の平判紙の積層状態不良検知方法。
【請求項７】
前記レーザ光の照射軌跡が前記積層物の底面に対して垂直で且つ前記積層物の高さ方向に直線状であるときに前記積層物の側面にうねりが存在しないと判定し、前記レーザ光の照射軌跡が前記積層物の底面に対して垂直で且つ前記積層物の高さ方向に直線状でないときに前記積層物の側面にうねりが存在すると判定することを特徴とする請求項４〜６のいずれか一項に記載の平判紙の積層状態不良検知方法。
【請求項８】
前記レーザ光の照射軌跡が前記積層物の高さ方向に湾曲しているときに前記積層物の側面にうねりが存在すると判定し、前記積層物の側面にうねりが存在するときに前記撮像装置で得られた画像から積層物側面のうねり量を算出し、算出されたうねり量を基準値と比較して良否を判定することを特徴とする請求項７に記載の平判紙の積層状態不良検知方法。
【請求項９】
一定寸法に裁断された平判紙を積層してなる積層物に積層状態の不良があるか否かを検知する装置であって、前記積層物の側面に対して下向きに傾斜した角度で積層物の周囲に配置されたレーザ照射装置から前記積層物の各側面にレーザ光を前記積層物の高さ方向に沿って線状に照射すると共に、前記積層物の各側面に照射されたレーザ光を前記積層物の側面に対して下向きに傾斜した角度で積層物の周囲に配置された撮像装置により撮像し、前記撮像装置から出力された画像信号を処理して前記レーザ光の照射軌跡を表わす二値化画像を作成し、前記レーザ光の照射軌跡が前記積層物の高さ方向に連続する照射軌跡であるか否かを判定することによって、前記平判紙の積層状態の不良を検知することを特徴とする平判紙積層状態不良検知装置。
【請求項１０】
前記積層物の側面に対する前記レーザ照射装置の傾斜角度を３０°以上７５°以下に設定するとともに、前記積層物の側面に対する前記撮像装置の傾斜角度を３５°以上８０°以下に設定したことを特徴とする請求項９に記載の平判紙積層状態不良検知装置。
【発明の詳細な説明】
【技術分野】
【０００１】
本発明は、多数の平判紙からなる積層物の側面に、平判紙の飛び出し、不揃い、うねりの積層状態の不良が存在するか否かを検知する平判紙の積層状態不良検知方法および平判紙積層状態不良検知装置に関する。
【背景技術】
【０００２】
一般に、印刷用紙や情報用紙などを製造する製紙工場では、巻取紙を所定の寸法に裁断して得られた多数の平判紙の積層物を製品として出荷する場合、積層物をコンベアにて包装機に搬送し、包装機に搬送された積層物を包装紙や包装フィルムなどで包装してから出荷するようにしている。
この場合、図８（ａ）に示すような平判紙の飛び出しが積層物２の側面に存在すると、積層物２を包装する際に積層物２の側面から突出する平判紙１が折損したりすることで不良品の発生を招くため、積層物２を包装する前に積層物２の側面から平判紙１が飛び出しているか否かを検査する必要がある。また、図８（ｂ）に示すように、飛び出しとまでは言えない微小な紙の出入りがある積層物２の状態を不揃いと呼び、これは製品の見栄え上の問題がある。さらに、図８（ｃ）に示すように、平判紙が斜めに積層されているうねりの場合、ハンドリングの途中で荷崩れを発生させることや包装時に問題となるケースもある。
【０００３】
しかし、積層物側面の外観検査は検査員の目視検査によって行われているため、平判紙の飛び出し等を見逃してしまう場合があった。また、不揃いやうねりの場合、不良品か否かの判断が検査員によって異なるという問題もあった。
そこで、検査員の目視検査に頼ることなく積層物の側面を検査する技術として、図９に示されるように、多数の感光性シート材からなる積層物９１の側面９１ａにレーザ光Ｌをレーザ光源９２から線状に照射すると共に、積層物９１の側面９１ａで反射した反射レーザ光Ｌｒを撮像装置９３にて撮像し、撮像装置９３で得られた画像を画像処理してシート材の飛び出しを検知する技術が知られている（特許文献１参照）。
【０００４】
また、特許文献２には、紡績工場で生産されるパッケージの巻形状の良否を検査する方法として、パッケージの側面から端面にかけて帯状の照明光を照射しながらパッケージのエッジ形状をＣＣＤカメラにて撮像し、ＣＣＤカメラで得られた画像から巻形状の良否を検査する技術が記載されている。
【先行技術文献】
【特許文献】
【０００５】
【特許文献１】特開２０００−３３７８２７号公報
【特許文献２】特開平６−２４６４９号公報
【発明の概要】
【発明が解決しようとする課題】
【０００６】
しかしながら、特許文献１に記載された技術は、レーザ光源９２が積層物９１の側面９１ａに対して４５°〜６０°の角度θ３で水平に配置されているとともに、撮像装置９３が積層物９１の側面９１ａに対して９０°（又は１３５°〜１５０°）の角度θ４で水平に配置されているため、積層物９１の側面９１ａから突出するシート材の厚さがシート紙のように薄く、かつ積層物９１の側面９１ａから突出するシート材が１枚の場合には、積層物９１の側面９１ａに照射されたレーザ光Ｌの照射軌跡を表わす画像が例えば図１０に示すように、レーザ光Ｌの照射軌跡の左側に飛び出しを示す小さな点Ｐがひとつ表示されるような画像となってしまう。このため、特許文献１に記載された技術では、積層物の側面から突出するシート材が１枚の場合にはシート材の飛び出しを検知できない可能性がある。また、撮像装置９３で得られる画像からシート材の飛び出し量を算出し、算出された飛び出し量を基準値と比較して良否を判定する場合、特許文献１に記載された技術では、レーザ光源９２と積層物９１と撮像装置９３の位置関係が正確に求められていないとシート材の飛び出し量を正確に算出することができないという問題もある。
【０００７】
一方、特許文献２に記載された技術では、ＣＣＤカメラで撮像された検査対象パッケージの形状を、メモリに予め記憶されている正常パッケージの形状と突合せ、そのマッチング度合から良否を判定している。このため、特許文献２に記載された技術を適用して平判紙の飛び出しを検知しようとすると、特許文献１に記載の技術と同様に、積層物の側面から突出する平判紙が１枚の場合には平判紙の飛び出しを検知できない可能性がある。また、積層状態の異常は、その異常の程度が小さい場合は許容される場合もあるが、マッチング方式を採用する方式では許容値の設定ができないという問題がある。
【０００８】
本発明は、上述した問題点に鑑みてなされたものであり、後工程で問題が発生する状態や見栄えの問題がある状態を確実に検知することのできる、平判紙の積層状態不良検知方法と平判紙積層状態不良検知装置を提供することを目的とするものである。
【課題を解決するための手段】
【０００９】
上記課題を解決するために、請求項１の発明は、一定寸法に裁断された平判紙を積層してなる積層物に平判紙の積層状態の不良があるか否かを検知する方法であって、前記積層物の側面に対して下向きに配置されたレーザ照射装置から前記積層物の側面にレーザ光を前記積層物の高さ方向に沿って線状に照射し、前記積層物の側面に照射されたレーザ光を前記積層物の側面に対して下向きに配置された撮像装置により撮像した後、前記撮像装置から出力された画像信号を処理して前記レーザ光の照射軌跡を表わす二値化画像を作成し、前記レーザ光の照射軌跡が前記積層物の高さ方向に連続する照射軌跡であるか否かを判定することによって、前記平判紙の積層状態の不良を検知することを特徴とする。
【００１０】
請求項２の発明は、請求項１に記載の平判紙の積層状態不良検知方法において、前記積層物の４つの隅部のうち対角線上に位置する２つの隅部に対し、前記レーザ照射装置を２台ずつ配置すると共に前記撮像装置を１台ずつ配置して、前記平判紙の積層状態の不良を検知することを特徴とする。
請求項３の発明は、請求項１または２に記載の平判紙の積層状態不良検知方法において、前記積層物の側面に対する前記レーザ照射装置の傾斜角度を３０°以上７５°以下に設定するとともに、前記積層物の側面に対する前記撮像装置の傾斜角度を３５°以上８０°以下に設定して、前記平判紙の積層状態の不良を検知することを特徴とする。
【００１１】
請求項４の発明は、請求項１〜３のいずれか一項に記載の平判紙の積層状態不良検知方法において、前記レーザ光の照射軌跡が前記積層物の底面に対して垂直で且つ前記積層物の高さ方向に直線状であるか否かを検知することを特徴とする。
請求項５の発明は、請求項１〜４のいずれか一項に記載の平判紙の積層状態不良検知方法において、前記レーザ光の照射軌跡が前記積層物の高さ方向に連続する照射軌跡であるときに前記積層物の側面に前記平判紙の飛び出し及び不揃いが存在しないと判定し、前記レーザ光の照射軌跡が前記積層物の高さ方向に不連続の照射軌跡であるときに前記積層物の側面に前記平判紙の飛び出し及び不揃いが存在すると判定することを特徴とする。
【００１２】
請求項６の発明は、請求項５に記載の平判紙の積層状態不良検知方法において、前記レーザ光の照射軌跡が前記積層物の高さ方向に不連続の照射軌跡であるときに、前記積層物の側面から突出する平判紙の飛び出し量及び／又は前記平判紙の飛び出し数を前記撮像装置で得られた画像から求め、前記平判紙の飛び出し量及び／又は前記平判紙の飛び出し数を基準値と比較して良否を判定することを特徴とする。
【００１３】
請求項７の発明は、請求項４〜６のいずれか一項に記載の平判紙の積層状態不良検知方法において、前記レーザ光の照射軌跡が前記積層物の底面に対して垂直で且つ前記積層物の高さ方向に直線状であるときに前記積層物の側面にうねりが存在しないと判定し、前記レーザ光の照射軌跡が前記積層物の底面に対して垂直で且つ前記積層物の高さ方向に直線状でないときに前記積層物の側面にうねりが存在すると判定することを特徴とする。
【００１４】
請求項８の発明は、請求項７に記載の平判紙の積層状態不良検知方法において、前記レーザ光の照射軌跡が前記積層物の高さ方向に湾曲しているときに前記積層物の側面にうねりが存在すると判定し、前記積層物の側面にうねりが存在するときに前記撮像装置で得られた画像から積層物側面のうねり量を算出し、算出されたうねり量を基準値と比較して良否を判定することを特徴とする。
【００１５】
請求項９の発明は、一定寸法に裁断された平判紙を積層してなる積層物に積層状態の不良があるか否かを検知する装置であって、前記積層物の側面に対して下向きに配置されたレーザ照射装置から前記積層物の側面にレーザ光を前記積層物の高さ方向に沿って線状に照射すると共に、前記積層物の側面に照射されたレーザ光を前記積層物の側面に対して下向きに配置された撮像装置により撮像し、前記撮像装置から出力された画像信号を処理して前記レーザ光の照射軌跡を表わす二値化画像を作成し、前記レーザ光の照射軌跡が前記積層物の高さ方向に連続する照射軌跡であるか否かを判定することによって、前記平判紙の積層状態の不良を検知することを特徴とする。
【００１６】
請求項１０の発明は、請求項９に記載の平判紙積層状態不良検知装置において、前記積層物の側面に対する前記レーザ照射装置の傾斜角度を３０°以上７５°以下に設定するとともに、前記積層物の側面に対する前記撮像装置の傾斜角度を３５°以上８０°以下に設定したことを特徴とする。
【発明の効果】
【００１７】
本発明によれば、平判紙の飛び出しや不揃いが積層物に存在しない場合は積層物の側面に照射されたレーザ光の照射軌跡が積層物の高さ方向に連続する直線状の照射軌跡となり、平判紙の飛び出しや不揃いが積層物に存在する場合は積層物の側面に照射されたレーザ光の照射軌跡が積層物の高さ方向に連続しない照射軌跡となる。従って、積層物の側面に照射されたレーザ光の照射軌跡が積層物の高さ方向に連続する照射軌跡であるか否かを撮像装置で得られた画像から判定することで、平判紙の飛び出しや不揃いが積層物に存在するか否かを確実に検知することができる。
【００１８】
また、積層状態にうねりがない場合は積層物の側面に照射されたレーザ光の照射軌跡が積層物の底面に対して垂直で積層物の高さ方向に連続する直線状の照射軌跡となるのに対し、うねりがある場合は積層物の側面に照射されたレーザ光の照射軌跡が積層物の高さ方向に連続していても湾曲した照射軌跡となるので、積層物の側面に照射されたレーザ光の照射軌跡が積層物の高さ方向に湾曲しているか否かを判定することで、うねりの有無を確実に検知することができる。
【図面の簡単な説明】
【００１９】
【図１】本発明を実施するときに用いられる平判紙積層状態不良検知装置の一例を示す平面図である。
【図２】図１に示す平判紙積層状態不良検知装置のレーザ照射装置と撮像装置を示す斜視図である。
【図３】図１に示すレーザ光照射装置の積層物側面に対する角度を示す図である。
【図４】図１に示す撮像装置の積層物側面に対する角度を示す図である。
【図５】本発明を実施するときに用いられる平判紙積層状態不良検知装置の一例を示すブロック図である。
【図６】本発明に係る平判紙の積層状態不良検知方法を説明するためのフローチャートである。
【図７】積層物の側面に照射されたレーザ光の照射軌跡を示す図である。
【図８】積層物の側面に発生する平板紙の積層不良を示す図である。
【図９】特許文献１に記載された技術を説明するための図である。
【図１０】特許文献１に記載された技術により得られるレーザ光の照射軌跡を示す図である。
【発明を実施するための形態】
【００２０】
以下、図面を参照して本発明の一実施の形態について説明する。
図１〜図５は本発明を実施するときに用いられる平判紙積層状態不良検知装置の一例を示す図であり、本発明を実施するときに用いられる平判紙積層状態不良検知装置は、図１、図２に示されるように、レーザ照射装置３，４，５，６、撮像装置７，８および昇降機構９，１０を備えている。
【００２１】
レーザ照射装置３〜６は多数の平判紙からなる積層物２の側面２ａ，２ｂ，２ｃ，２ｄにレーザ光Ｌ（図２参照）を積層物２の高さ方向に沿って線状に照射するものであって、図１および図３に示されるように、積層物２の側面２ａ〜２ｄに対して下向きに傾斜した角度θ１（例えば、積層物２の側面に対して、好ましくは３０°以上７５°以下の傾斜した角度、より好ましくは４５°以上７５°以下の傾斜した角度）で積層物２の周囲に配置されている。
【００２２】
また、レーザ照射装置３〜６のうちレーザ照射装置２は積層物２を図１中矢印方向に包装機へ搬送するベルトコンベア１１の例えば左側に配置され、レーザ照射装置５はベルトコンベア１１の例えば右側に配置されている。そして、レーザ照射装置４はベルトコンベア１１の下流側に配置され、レーザ照射装置６はベルトコンベア１１の上流側に配置されている。
【００２３】
ここで、積層物２の側面に対するレーザ照射装置３〜６の傾斜角度θ１を、好ましくは３０°以上７５以下、より好ましくは４５°以上７５°以下の角度とするのは、次の理由からである。すなわち、レーザ照射装置３〜６の傾斜角度θ１がθ１＜３０°になると、もし、飛び出しや不揃いなどの紙の出入りがあった場合に、レーザ光を上方から照射しているために、飛び出した紙やうねりによる積層紙の影となる部分が大きくなり、検査できない不感帯の領域が拡大してしまうという問題が生じるおそれがある。また、レーザ照射装置３〜６の傾斜角度θ１がθ１＞７５°になると、飛び出しや不揃いによる微小な紙の出入りがあるところで、レーザ光の照射軌跡が途切れず、不良の判定が困難となるおそれが生じる。このため、レーザ照射装置３〜６の傾斜角度θ１を３５°≦θ１≦７５°、好ましくは４５°≦θ１≦７５°とした。なお、レーザ照射装置３〜６としては、例えば半導体レーザ等のレーザ光源と、レーザ光源から出射されたレーザ光を例えば１２０ｍｍ程度の長さを持つ線状のレーザ光に変換するシリンドリカルレンズとからなるものを用いることができる。
【００２４】
撮像装置７，８はレーザ光Ｌが照射される積層物２の各側面を撮像するものであって、図４に示されるように、積層物２の側面２ａ〜２ｄに対して下向きに傾斜した角度θ２（例えば、好ましくはレーザ照射装置３〜６の傾斜角度θ１より５°以上大きく且つ積層物２の側面２ａ〜２ｄに対して３５°以上８０°以下、より好ましくは５０°以上８０°以下の角度θ２）で積層物２の周囲に配置されている。
また、撮像装置７，８は、積層物２の周囲に配置される撮像装置の台数を低減するために、積層物２の４つの隅部（角部）のうち対角線上に位置する２つの隅部２ｅと向き合う位置に配置されている。
【００２５】
ここで、撮像装置７，８の傾斜角度θ２をレーザ照射装置３〜６の傾斜角度θ１より５°以上大きく且つ積層物２の側面２ａ〜２ｄに対して３５°以上８０°以下（より好ましくは５０°以上８０°以下）の傾斜角度とするのは、次の理由からである。すなわち、撮像装置７，８の傾斜角度θ２がレーザ照射装置３〜６の傾斜角度θ１に対してθ２−θ１＜５°になると、紙の飛び出しにより発生したレーザ光の照射軌跡の途切れを撮影できないおそれが生じる。また、撮像装置７，８の傾斜角度θ２がθ２＞８０°になると、飛び出した紙がある場合、飛び出した紙に沿ってレーザ光の照射軌跡が左右に流れる状態を画像としてうまく取り込めないおそれがある（特許文献１と同じように飛び出しが点として写る）。さらにまた、θ２＜３５°になると、うねりや飛び出しを検知できないおそれがある。このため、撮像装置７，８の傾斜角度θ２を、好ましくはθ２−θ１≧５°、３５°≦θ２≦８０°、より好ましくは５０°≦θ２≦８０°とした。なお、撮像装置７，８としては、例えば積層物２の角部２ｅを中心として２００ｍｍ程度の視野長を有するラインＣＣＤカメラを用いることができる。
昇降機構９，１０は撮像装置７，８をレーザ照射装置３〜６と共に積層物２の高さ方向に昇降駆動するものであって、例えばスライダを上下方向に送り駆動するボールねじや、ボールねじを駆動するボールねじ駆動モータなどから構成されている。
【００２６】
また、図１に示される積層物検査装置は、図５に示されるように、撮像装置７，８から出力された画像信号（アナログ信号）をデジタル信号に変換するＡ／Ｄ変換器１３と、Ａ／Ｄ変換器１３によりデジタル信号に変換された画像信号を積層物側面の画像データとして記憶する記憶装置１４と、記憶装置１４に記憶された画像データを処理して積層物２の側面２ａ〜２ｂにシート紙の飛び出しやうねりなどの異常が存在するか否かを検知する異常検知手段としての中央演算処理装置（以下、ＣＰＵという）１５とを更に備え、このＣＰＵ１５は図６に示すフローチャートに従ってシート紙の飛び出しが積層物２の側面２ａ〜２ｄに存在するか否かを検知するように構成されている。なお、撮像装置７，８は、撮像装置内で画像信号をデジタル化して撮像出力としてデジタル信号で出力してもよい。
【００２７】
このような積層物検査装置を用いて積層物２の側面２ａ〜２ｄに平判紙の積層状態の不良が存在するか否かを検知する場合は、まず、レーザ照射装置３，４，５，６から積層物２の各側面２ａ〜２ｄにレーザ光Ｌを積層物２の高さ方向に沿って線状に照射する。また、これと同時に、積層物２の各側面２ａ〜２ｄを撮像装置７，８により撮像する。このとき、撮像装置７，８から出力された画像信号はＡ／Ｄ変換器１３によりデジタル信号に変換された後、積層物側面の画像データとして記憶装置１４に格納される。
【００２８】
Ａ／Ｄ変換器１３によりデジタル信号に変換された画像信号が積層物側面の画像データとして記憶装置１４に格納されると、ＣＰＵ１５は記憶装置１４に格納された画像データを図６に示すステップＳ１で二値化処理し、例えば積層物２の側面２ａに照射されたレーザ光Ｌの照射軌跡を表わす二値化画像を作成する。そして、積層物２の側面２ａに照射されたレーザ光Ｌの照射軌跡が積層物２の底面に対して垂直で積層物２の高さ方向に直線状に連続する照射軌跡であるか否かを二値化処理された画像データを基にステップＳ２で判定する。
ここで、積層物２の側面２ａに照射されたレーザ光Ｌの照射軌跡が積層物２の高さ方向に連続している場合、ＣＰＵ１５は積層物２の側面２ａに平判紙の飛び出しや不揃いが存在しないと判断し、後述するステップＳ９へ進む。
【００２９】
一方、積層物２の側面２ａに照射されたレーザ光Ｌの照射軌跡が積層物２の高さ方向に連続していない場合、ＣＰＵ１５は積層物２の側面２ａから飛び出ている平判紙の飛び出し量を撮像装置７または８で得られた画像からステップＳ３で算出する。そして、ステップＳ３で算出した平判紙の飛び出し量が基準値を超えているか否かをステップＳ４で判定する。なお、平判紙の飛び出し量を算出する方法としては、レーザ光Ｌの照射軌跡を表わす二値化画像の中で平判紙の飛び出しを表す部分の画素数を求めることで、平判紙の飛び出し量を算出することができる。
【００３０】
ステップＳ４で算出した平判紙の飛び出し量が基準値を超えていない場合、ＣＰＵ１５は後述するステップＳ６へ進む。また、平判紙の飛び出し量が基準値を超えている場合、ＣＰＵ１５は次のステップＳ５に進み、積層物側面から飛び出ている平判紙の飛び出し量がＮＧであることを知らせるＮＧ信号を図示しない表示装置等に出力する。
平判紙の飛び出し量が基準値を超えていることを知らせるメッセージが図示しない表示装置等にステップＳ５で出力されると、ＣＰＵ１５はステップＳ６に進み、積層物２の側面２ａから飛び出ている平判紙の飛び出し数を撮像装置７または８で得られた画像からカウントする。そして、次のステップＳ７に進み、カウントされた平判紙の飛び出し数が基準値を超えているか否かを判定する。
【００３１】
平判紙の飛び出し数が基準値を超えていない場合、ＣＰＵ１５は積層物２の側面２ａに平判紙の不揃いが存在しないと判断し、後述するステップＳ９へ進む。また、平判紙の飛び出し数が基準値を超えている場合、ＣＰＵ１５は次のステップＳ８に進み、積層物２の側面に平判紙の不揃いが存在することを知らせるＮＧ信号を図示しない表示装置等に出力する。
【００３２】
積層物２の側面に平判紙の不揃いが存在することを知らせるＮＧ信号がステップＳ８で表示装置等に出力されると、ＣＰＵ１５は次のステップＳ９に進み、積層物側面２ａのうねり量を撮像装置７または８で得られた画像から算出する。そして、ステップＳ９で求めた積層物側面のうねり量が基準値を超えているか否かをステップＳ１０で判定する。なお、うねり量の算出では、まず、積層物側面の最下端から最上端までのレーザ光の照射軌跡において、撮像装置７，８で捉えた画像上で最も左にあるレーザ光の照射軌跡と最も右側にあるレーザ光の照射軌跡の位置の差の画素数を求めることで、平判紙の積層時のうねり量を算出する。
【００３３】
積層物側面のうねり量が基準値を超えていない場合、ＣＰＵ１５は後述するステップＳ１２へ進む。また、積層物側面のうねり量が基準値を超えている場合、ＣＰＵ１５は次のステップＳ１１へ進み、積層物側面のうねり量が基準値を超えていることを知らせるＮＧ信号を図示しない表示装置等に出力する。
積層物側面のうねり量が基準値を超えていることを知らせるＮＧ信号がステップＳ１１で表示装置等に出力されると、ＣＰＵ１５は次のステップＳ１２に進み、積層物２の各側面に対する飛び出し検査、不揃い検査およびうねり検査が終了したか否を判定する。ここで、積層物２の各側面に対する検査が終了していない場合、ＣＰＵ１５はステップＳ１に戻り、例えば積層物側面２ｂの画像データを２値化処理した後、ステップＳ２〜Ｓ１３を積層物２の各側面に対する検査が終了するまで繰り返す。
【００３４】
図６では、平判紙の飛び出し、不揃い、うねりの検査を全て実施するようにしている。通常、積層物２の各側面のいずれかに飛び出し、不揃い、うねりの積層異常があった場合、オペレータは積層状態の修正を行う。この修正作業においては、オペレータは問題のある箇所を全て認識してそれに応じた作業を行う必要があるためである。しかしながら、積層物２を後工程に流すか否を判断するのみであれば、どれか１つの異常が存在すると判定できた時点で図示しない表示装置等にＮＧを出力して検査を終了してもよい。
【００３５】
上述のように、多数の平判紙からなる積層物２の側面２ａ〜２ｄに対して下向きに傾斜した角度で積層物２の周囲に配置された４つのレーザ照射装置３〜６から積層物２の各側面にレーザ光Ｌを積層物２の高さ方向に沿って線状に照射すると共に、積層物２の各側面を積層物２の側面２ａ〜２ｄに対して下向きに傾斜した角度で積層物２の周囲に配置された撮像装置７，８により撮像すると、平判紙の飛び出しや不揃いあるいはうねり等の積層状態の不良がある場合は積層物２の側面に照射されたレーザ光の照射軌跡が図７（ａ）〜（ｃ）に示すような画像となり、図１０に示すような画像となることがない。従って、積層物２の側面に照射されたレーザ光Ｌの照射軌跡が積層物２の底面に対して垂直で積層物２の高さ方向に直線状に連続する照射軌跡であるか否かを撮像装置７，８で得られた画像から判定することで、積層物２の側面から突出する平判紙が１枚の場合でも平判紙の飛び出しを確実に検知できるとともに、細かな紙の出入りにより見栄えの悪い不揃いや積層が途中でずれているようなうねりを確実に検知することができる。
【００３６】
また、積層物２の側面に照射されたレーザ光Ｌの照射軌跡が積層物２の高さ方向に連続しない照射軌跡であるときに平判紙の飛び出し量を撮像装置７，８で得られた画像から算出し、算出した飛び出し量を基準と比較することで、平判紙の飛び出し量が基準値を超えているか否かを正確に検査することができる。
さらに、平判紙の飛び出し数やうねり量を撮像装置７，８で得られた画像から算出し、算出した飛び出し数やうねり量を基準値と比較することで、平判紙の不揃いやうねりの定量的な評価を正確に行うことができる。
【００３７】
なお、上述した本発明の一実施形態では、積層物２の各側面を撮像する撮像装置として２つの撮像装置７，８を用いた場合を例示したが、撮像装置の数が３つであってもよいし、４つであってもよい。
さらに、レーザ照射装置３〜６と撮像装置７，８を昇降駆動する昇降機構として２つの昇降機構９，１０を用いた場合を例示したが、昇降機構の数が３つであってもよいし、４つであってもよい。
【００３８】
また、上述した本発明の一実施形態では、撮像装置で得られた画像を２値化処理した後、積層物の側面に照射されたレーザ光の照射軌跡が積層物の高さ方向に連続する照射軌跡であるか否かを撮像装置で得られた画像から判定するようにしたが、撮像装置で得られた画像を必ずしも２値化処理する必要はない。
さらに、上述した本発明の一実施形態では、積層物の側面に対するレーザ照射装置の傾斜角度を３０°以上７５°以下に設定するとともに、積層物の側面に対する撮像装置の傾斜角度を３５°以上８０°以下に設定した場合を例示したが、これに限られるものではなく、レーザ照射装置と撮像装置の傾斜角度は積層物の大きさや高さ、あるいは周囲の明るさ環境などに応じて適宜変更してもよい。
【符号の説明】
【００３９】
１…平判紙
２…積層物
２ａ，２ｂ，２ｃ，２ｄ…積層物の側面
２ｅ…積層物の隅部（角部）
３，４，５，６…レーザ照射装置
７，８…撮像装置
９，１０…昇降機構
１１…ベルトコンベア
１３…Ａ／Ｄ変換器
１４…記憶装置
１５…中央演算処理装置
【図１】
2014038013.tif 000003
【図２】
2014038013.tif 000004
【図３】
2014038013.tif 000005
【図４】
2014038013.tif 000006
【図５】
2014038013.tif 000007
【図６】
2014038013.tif 000008
【図１０】
2014038013.tif 000009
【図７】
2014038013.tif 000010
【図８】
2014038013.tif 000011
【図９】
2014038013.tif 000012